(57)【特許請求の範囲】
【請求項１】
溶液中の過酸化水素を検出する方法であって、
（ａ）酸化還元指示薬、および式（Ｉ）：
【化１】
0003644756.tif 000011
（式中、ＸおよびＹは、独立に、クレアチニン、塩化物イオン、フッ化物イオン、臭化物イオン、ヨウ化物イオン、硫酸イオン、リン酸イオン、過塩素酸イオン、硝酸イオン、シュウ酸イオン、硫化物イオン、アンモニウム、グルコン酸イオン、シアン化物イオン、チオシアン酸イオン、カテコール、トロポロン、フェノール、ピリジン、酢酸イオン、クエン酸イオン、酒石酸、マロン酸、ホウ酸、コハク酸、グリセロール−２−リン酸イオン、サリチル酸、シュウ酸およびリンゴ酸よりなる群から選ばれる）
で示される構造を有する遷移金属錯体を該溶液に加える工程；ならびに
（ｂ）色変化を測定して、過酸化水素の存在または濃度を検知する工程
を含む方法。
【請求項２】
ＸおよびＹが塩化物イオンである、請求項１記載の方法。
【請求項３】
ＸおよびＹが酢酸イオンである、請求項１記載の方法。
【請求項４】
酸化還元指示薬が、ベンジジン、ｏ−トリジン、炭素原子数１〜６のアルキル基を有する３，３’，５，５’−テトラアルキルベンジジン、ｏ−ジアニシジン、２，７−ジアミノフルオレン、ビス−（Ｎ−エチルキノリン−２−オン）アジン、（Ｎ−メチルベンゾチアゾール−２−オン）−（１−エチル−３−フェニル−５−メチルトリアゾール−２−オン）アジン、２，２’−アジノビス（３−エチルベンゾチアゾリン−６−スルホン酸）、４−アミノアンチピリン、ヨウ化カリウム、およびそれらの組合せよりなる群から選ばれる、請求項１記載の方法。
【請求項５】
酸化還元指示薬が３，３’，５，５’−テトラメチルベンジジンである、請求項４記載の方法。
【請求項６】
該溶液が生体液または水溶液である、請求項１記載の方法。
【請求項７】
該溶液がアスコルビン酸イオンをも含有する、請求項１記載の方法。
【請求項８】
過酸化水素の濃度が０．１〜１００mMの範囲内にある、請求項１記載の方法。
【請求項９】
過酸化水素の濃度が１〜５０mMの範囲内にある、請求項８記載の方法。
【請求項１０】
酸化還元指示薬および遷移金属錯体を、それらが適用された試験片を用いて該溶液に加える、請求項１記載の方法。
【請求項１１】
溶液中の過酸化水素を検出する方法であって、
（ａ）酸化還元指示薬、および式（II）：
【化２】
0003644756.tif 000012
（式中、ＸおよびＹは、独立に、クレアチニン、塩化物イオン、フッ化物イオン、臭化物イオン、ヨウ化物イオン、硫酸イオン、リン酸イオン、過塩素酸イオン、硝酸イオン、シュウ酸イオン、硫化物イオン、アンモニウム、グルコン酸イオン、シアン化物イオン、チオシアン酸イオン、カテコール、トロポロン、フェノール、ピリジン、酢酸イオン、クエン酸イオン、酒石酸、マロン酸、ホウ酸、コハク酸、グリセロール−２−リン酸イオン、サリチル酸、シュウ酸およびリンゴ酸よりなる群から選ばれ、Ｒ1 およびＲ2 の少なくとも一方は、独立に、Ｃn Ｈ2n+1、（ＯＣ2 Ｈ4 ）n Ｈ、Ｃ5 Ｈ4 Ｚ、Ｃ4 Ｈ3 ＺおよびＣ11Ｈ6 Ｚ（ここで、ｎは１〜２０の整数であり、ＺはＯ、Ｓ、ＮまたはＣＨである）よりなる群から選ばれる）
で示される構造を有する遷移金属錯体を該溶液に加える工程；ならびに
（ｂ）色変化を測定して、過酸化水素の存在または濃度を検知する工程
を含む方法。
【請求項１２】
ＸおよびＹが硫酸イオンである、請求項１１記載の方法。
【請求項１３】
ＸおよびＹが酢酸イオンである、請求項１１記載の方法。
【請求項１４】
ｎが１〜１２の整数である、請求項１１記載の方法。
【請求項１５】
Ｒ1 およびＲ2 の少なくとも一方が、ヒドロキシル、アミノ、カルボニル、スルホ、カルボキシル、フルオロ、クロロ、ブロモ、ヨード、ホスホン酸基およびリン酸基よりなる群から選ばれる少なくとも１個の官能基で置換されている、請求項１１記載の方法。
【請求項１６】
Ｒ1 がＨであり、Ｒ2 がＣＨ2 ＣＨ2 −ＳＯ3 Ｈである、請求項１５記載の方法。
【請求項１７】
Ｒ1 がＨであり、Ｒ2 がＣ6 Ｈ3 （ＣＯ2 Ｈ）2 である、請求項１５記載の方法。
【請求項１８】
Ｒ1 がＨであり、Ｒ2 が（ＣＨ2 ）3 ＣＨ（ＮＨ2 ）ＣＯ2 Ｈである、請求項１５記載の方法。
【請求項１９】
酸化還元指示薬が、ベンジジン、ｏ−トリジン、炭素原子数１〜６のアルキル基を有する３，３’，５，５’−テトラアルキルベンジジン、ｏ−ジアニシジン、２，７−ジアミノフルオレン、ビス−（Ｎ−エチルキノリン−２−オン）アジン、（Ｎ−メチルベンゾチアゾール−２−オン）−（１−エチル−３−フェニル−５−メチルトリアゾール−２−オン）アジン、２，２’−アジノビス（３−エチルベンゾチアゾリン−６−スルホン酸）、４−アミノアンチピリン、ヨウ化カリウム、およびそれらの組合せよりなる群から選ばれる、請求項１１記載の方法。
【請求項２０】
酸化還元指示薬が３，３’，５，５’−テトラメチルベンジジンである、請求項１９記載の方法。
【請求項２１】
該溶液が生体液または水溶液である、請求項１１記載の方法。
【請求項２２】
該溶液がアスコルビン酸イオンをも含有する、請求項１１記載の方法。
【請求項２３】
過酸化水素の濃度が０．１〜１００mMの範囲内にある、請求項１１記載の方法。
【請求項２４】
過酸化水素の濃度が１〜５０mMの範囲内にある、請求項２３記載の方法。
【請求項２５】
酸化還元指示薬および遷移金属錯体を、それらが適用された試験片を用いて溶液に加える、請求項１１記載の方法。
【発明の詳細な説明】
【０００１】
【発明の属する技術分野】
本発明は、指示薬、および鉄と配位結合したクレアチニン、または鉄と配位結合したグアニジンのいずれかである遷移金属錯体に生体液もしくは水溶液を接触させることによって、生体液または水溶液中の過酸化水素の濃度を比色分析的に測定する新規な方法に関するものである。
【０００２】
【従来の技術】
血液、血清および尿のような生体液中の過酸化水素の検出は、様々な異常の診断に役立つ。過酸化水素は、分析対象物と酵素との数多くの反応の副生物として生成される。生体液中の過酸化水素の検出のための試験は、電子を指示薬に伝達して偽陰性の結果を生じ得る強力な還元剤である、アスコルビン酸塩の存在によって複雑化される。指示薬の試薬組成物中に、ある種の金属イオン錯体、例えばＦｅ−ＨＥＤＴＡを含ませることは、アスコルビン酸塩の干渉を本質的に排除するが、これらの金属イオン錯体は、それ自体、過酸化物と酸化可能な染料との呈色反応を触媒することができ、該反応が、ある状況下では、金属イオン錯体が介在する染料の追加的な酸化のために、偽陽性の、または誤って高い検定結果を生じることがある。
【０００３】
鉄を除く様々な遷移金属のクレアチニン錯体の発見を引用している文献が存在する。
【０００４】
【発明が解決しようとする課題】
本発明の目的は、生体液中の過酸化水素を検出する方法を提供することにある。更に、本発明は、分析対象物を化合物と反応させて過酸化水素を生成することによって、この分析対象物を検出する方法を提供する。
【０００５】
【課題を解決するための手段】
本発明は、（ａ）過酸化水素を含む疑いがある溶液に、遷移金属錯体および酸化還元指示薬を加える工程、（ｂ）色変化を測定して過酸化水素の存在または濃度を検知する工程を含む、過酸化水素を検出する方法に関する。遷移金属錯体は、鉄と配位結合したクレアチニン、または鉄と配位結合したグアニジンである。鉄と配位結合したクレアチニンは、式（Ｉ）：
【０００６】
【化３】
0003644756.tif 000002
【０００７】
（式中、ＸおよびＹは、独立に、クレアチニン、塩化物イオン、フッ化物イオン、臭化物イオン、ヨウ化物イオン、硫酸イオン、リン酸イオン、過塩素酸イオン、硝酸イオン、シュウ酸イオン、硫化物イオン、アンモニウム、グルコン酸イオン、シアン化物イオン、チオシアン酸イオン、カテコール、トロポロン、フェノール、ピリジン、ならびに酢酸イオン、クエン酸イオン、酒石酸イオン、マロン酸、ホウ酸、コハク酸、グリセロール−２−リン酸イオン、サリチル酸、シュウ酸およびリンゴ酸のような緩衝剤よりなる群から選ばれる）で示される構造を有する。
【０００８】
鉄に配位結合させたグアニジンは、式（II）：
【０００９】
【化４】
0003644756.tif 000003
【００１０】
（式中、ＸおよびＹは、独立に、上記の鉄クレアチニン錯体についてのものと同じ群から選ばれ、Ｒ1 およびＲ2 の少なくとも一方は、アルキルおよびアリール基よりなる群から選ばれ、各々相互に独立したものである。Ｒ1 およびＲ2 の基の例は、Ｃn Ｈ2n+1（ここで、ｎは１〜２０、好ましくは１〜１２の整数である）のようなアルキル基、ＯＣ2 Ｈ4 （ＯＣ2 Ｈ4 ）n-2 ＯＣＨ2 ＣＨ3 （ｎは前記の通りである）、またはＣ5 Ｈ4 Ｚ、Ｃ4 Ｈ3 ＺおよびＣ11Ｈ6 Ｚ（ここで、ＺはＯ、Ｓ、ＮもしくはＣＨである）のようなアリール基である。このアリール基としては、例えばフェニル（Ｚ＝ＣＨ）、ピリジル（Ｚ＝Ｎ）、フリル（Ｚ＝Ｏ）、チエニル（Ｚ＝Ｓ）、アセナフチル（Ｚ＝ＣＨ）等が挙げられる。）で示される構造を有する。
【００１１】
場合により、Ｒ1 およびＲ2 は、アルコール（−ＯＨ）、アミン（−ＮＨ2 ）、カルボニル（−Ｃ＝Ｏ）、スルホン酸（−ＳＯ3 Ｈ）、カルボン酸（−ＣＯ2 Ｈ）、フッ素（−Ｆ）、塩素（−Ｃｌ）、臭素（−Ｂｒ）、ヨウ素（−Ｉ）、ホスホン酸〔−Ｐ（Ｏ）（ＯＨ）2 〕およびリン酸〔−ＯＰ（Ｏ）（ＯＨ）2 〕のような水溶性を高める１個以上の官能基で置換されていてもよい。特に好適な鉄クレアチニン錯体は、ＸおよびＹがともに塩化物イオンであるか、またはＸおよびＹがともに酢酸イオンであるそれらである。特に好適な鉄グアニジン錯体は、ＸおよびＹがともに硫酸イオン（−ＳＯ4 ）であるか、またはＸおよびＹがともに酢酸イオンであり、そして／あるいはＲ1 がＨであって、Ｒ2 がスルホン酸置換アルキル基（−ＣＨ2 ＣＨ2 −ＳＯ3 Ｈ）であるか、Ｒ1 がＨであって、Ｒ2 がアミン−およびカルボン酸−置換アルキル基〔−（ＣＨ2 ）3 ＣＨ（ＮＨ2 ）ＣＯ2 Ｈ〕（アルギニン）であるか、またはＲ1 がＨであって、Ｒ2 がカルボン酸置換アリール基〔−Ｃ6 Ｈ3 （ＣＯ2 Ｈ）2 〕であるそれらである。
【００１２】
過酸化水素を含有する溶液は、生体液または水溶液であってよい。酸化還元指示薬および遷移金属錯体は、それらが適用された試験片を用いて溶液に導入してよい。
【００１３】
鉄クレアチニンおよび鉄グアニジン錯体のペルオキシダーゼ活性やアスコルビン酸オキシダーゼ活性は、以前は未知であった。本開示は、アスコルビン酸イオンのデヒドロアスコルビン酸イオンへの酸化によってアスコルビン酸干渉を除去するための、鉄錯体の用途を初めて記載するものである。
【００１４】
過酸化水素は、酵素の存在下で起こる数多くの反応によって生成される。それは、例えば下記で示される。
0003644756.tif 000004
過酸化水素の存在または濃度の決定は、生体液中の基質の存在または濃度を決定する一つの方法である。
【００１５】
表１は、基質および酵素、ならびにそれらが生成する生成物の例を列挙しているが、本発明の方法はここに列記のものに限定して適用されるものではない。
【００１６】
【表１】
0003644756.tif 000005
【００１７】
過酸化水素の検出は、過酸化水素とペルオキシダーゼと酸化還元指示薬との反応によって実施することが多い：
Ｈ2 Ｏ2 ＋ペルオキシダーゼ＋指示薬  −−−−−＞  色彩
【００１８】
例えば、グルコース活性は、グルコースオキシダーゼという酵素の存在下でグルコースを反応させて、過酸化水素を生成することによって測定され得る。その後、過酸化水素はペルオキシダーゼと反応して指示薬の酸化を触媒、過酸化水素の濃度に正比例する比色分析の応答を生じる。しかしながら、生体液中の過酸化水素を検出する試験は、電子を指示薬に伝達して偽陰性の結果を生じ得る、強力な還元剤であるアスコルビン酸イオンの存在によって複雑化される。本発明の遷移金属錯体は、過酸化水素と反応して、過酸化水素の存在下でのみ指示薬の酸化を触媒するにすぎない。アスコルビン酸イオンは、本発明の遷移金属錯体を用いて実施される過酸化水素の検出には全く干渉を生じない。
Ｈ2 Ｏ2 ＋遷移金属錯体＋指示薬  −−−−−＞  色彩
【００１９】
酸化還元指示薬（「レドックス」指示薬）は、還元形態では酸化形態とは異なる色彩を有し、可逆的に酸化でき、また還元できる物質である。本発明の遷移金属錯体とともに用い得る酸化還元指示薬の例は、ベンジジン、ｏ−トリジン、アルキル基が１〜６個の炭素原子を有する３，３’，５，５’−テトラアルキルベンジジン（例えば３，３’，５，５’−テトラメチルベンジジン（「ＴＭＢ」））、ｏ−ジアニシジン、２，７−ジアミノフルオレン、ビス−（Ｎ−エチルキノリン−２−オン）アジン、（Ｎ−メチルベンゾチアゾール−２−オン）−（１−エチル−３−フェニル−５−メチルトリアゾール−２−オン）アジン、２，２’−アジノビス（３−エチルベンゾチアゾリン−６−スルホン酸）、４−アミノアンチピリン、ヨウ化カリウム、またはそれらの組合せである。
【００２０】
検査試料のpHは、好ましくは約３〜約９の範囲、より好ましくは約４．５〜約８．２の範囲内である。過酸化水素は、過酸化水素の濃度が約０．１〜約１００mM（mM）、好ましくは約１〜約２０mMの範囲内である検査試料中で検出され得る。
【００２１】
【実施例】
本方法が新規であることおよび実用的な過酸化水素の検出法であることを立証するために、下記の実施例およびデータを列挙する。実施例１および２は、過酸化水素の検出のための乾燥試薬の例である。実施例３は、グルコースとグルコースオキシダーゼとの反応により生成する過酸化水素の検出を介してグルコースを検出する乾燥試薬の例である。実施例４は、様々な遷移金属錯体のペルオキシダーゼ活性の試験を示す。
【００２２】
実施例１：過酸化水素の検出のための試薬
試薬紙を２種類の浸漬液の成分で順次含浸し、浸漬の間に乾燥することによって、乾燥試薬紙を作成した。次いで、試薬紙を６０℃で約７分間乾燥した。用いた紙担体は、Whatman ３ＭＭであった。浸液１は、鉄クレアチニンおよび緩衝剤を含有し、クレアチニン４．５２ｇ（グラム）、塩化第二鉄六水和物２．７０ｇおよびマロン酸２．０ｇに水１００ml（ミリリットル）を加え、混合物を一晩攪拌することによって調製した。次いで、１規定ＮａＯＨを用いて溶液をpH４．６に調整した。最終濃度は、塩化第二鉄１００mM、クレアチニン４００mMおよびマロン酸２５０mMであった。浸液２は、アセトニトリル中にレドックス指示薬の３，３’，５，５’−テトラメチルベンジジン（「ＴＭＢ」）を８０mMの濃度で含有するものであった。
【００２３】
試薬片は、上記の浸液処理した紙で作成した。次いで、様々なレベルの過酸化水素を含有する尿に試験片を浸漬し、６６０nm（ナノメートル）での反射率を、浸漬の１分後にAdvanced Research Rapid Scanner という計器で測定した。反射率の値を、試薬の反応性を算出するために測定した。異なる比重、すなわち１．００５、１．０１５および１．０２３ｇ／mlの３様の尿プールを用いて、試薬の反応性を決定した。
【００２４】
試薬の色彩は、過酸化水素の濃度に正比例する。図１は、過酸化水素の濃度と、鉄クレアチニン試薬で得られたＫ／Ｓ値との間に観察された線形の用量応答を示す。Ｋ／Ｓは、反射率から、指示薬による吸光度に比例する単位への換算であって、等式Ｋ／Ｓ＝（１−Ｒ）2 ／２Ｒ〔Ｒは６６０nmでの反射率（１分後）〕に従って算出した。
【００２５】
表２は、３．０mg／dl（ミリグラム／デシリットル）の過酸化水素（０．８８mM）に対する試薬反応性は、３種類の尿プールのすべてで明確に整合したことを示している。アスコルビン酸イオンの酸化が多少起きていたが、１００mg／dlのアスコルビン酸の存在下で、３．０mg／dlの過酸化水素に対して本試薬は反応性であり続けた。
【００２６】
【表２】
0003644756.tif 000006
【００２７】
表３のデータは、鉄クレアチニンに代えてセイヨウワサビのペルオキシダーゼを用いて作成したものであり、本発明に係る試薬とは鮮明に対比される。
【００２８】
【表３】
0003644756.tif 000007
【００２９】
ペルオキシダーゼの試薬は、１００mg／dlのアスコルビン酸の存在下で、３．０mg／dlの過酸化水素に対して、完全に非反応性であった。鉄クレアチニン試薬の反応性は、pHの低下、および鉄に対するクレアチニンの比率の増大とともに上昇した。尿中リン酸イオンからの干渉がより少ないことから、４：１の配位子比（クレアチニン：鉄）を選び、それによって、より整合的な結果をすべての尿で与えた。４．５という試薬のpHを選んだが、それは、１００mg／dlのグルコースとグルコースオキシダーゼとの反応から予測される過酸化水素の大まかな量である、３．０mg／dlの過酸化水素に対して適切な反応性を与えるからである。マロン酸は、pHを制御するための緩衝剤として働き、クエン酸、酒石酸、ホウ酸、コハク酸、グリセロール−２−リン酸、サリチル酸、シュウ酸およびリンゴ酸のような他の緩衝剤と置き換えることができる。
【００３０】
実施例２
グアニジンの鉄キレートでも過酸化水素の反応性を観察した。実施例１のとおりに実施した試験によって、反応性を決定したが、４００mMクレアチニンに代えて、４００mMグアニジンを浸液１に用いた。尿素の比重は１．０１５ｇ／mlであった。結果を表４に示す。
【００３１】
【表４】
0003644756.tif 000008
【００３２】
実施例３：グルコース検出のための試薬
実施例１のとおりに乾燥試薬紙を調製した。第一および第二の浸液を実施例１のとおりに調製したが、第一の浸液には５００単位／mlのグルコースオキシダーゼも加えてから、pHを調整した。
【００３３】
様々なレベルのグルコースを含有する尿に試験片を浸漬し、１分後に得られた６６０nmでの反射率を、試薬の反応性を算出するために測定した。
【００３４】
試薬の色彩は、グルコースの濃度に正比例する。１００mg／dlのグルコースまでの試薬反応性は、３種類の尿プールのすべてで明確に整合した（表５）。アスコルビン酸イオンの酸化が多少起きていたが、１００mg／dlのアスコルビン酸の存在下で、１００mg／dlのグルコースに対して本試薬は反応性であり続けた。
【００３５】
【表５】
0003644756.tif 000009
【００３６】
実施例４：様々な鉄錯体を用いた過酸化水素検出のための試薬
pH５．８で３．１mMの金属キレート、４４mMのマロン酸、１４mMのジイソプロピル＝ジヒドロペルオキシドおよび１１．６mMのＴＭＢを含有する３部の水対２部のアセトニトリルの溶液について、レドックス指示薬であるＴＭＢの酸化率を測定することによって、pH５．８でのペルオキシダーゼ活性について様々な遷移金属錯体を試験した。表６に示した結果は、ポリＬ−アルギニンおよびクレアチニンとの鉄（Ｆｅ2+およびＦｅ3+）錯体が最も活性であることを示している。銅は、多少の反応性を示すものの、はるかに低い程度に（１／１０）である。これらの条件下では、ペルオキシダーゼ活性を示した金属は、（与えられたリストでは）他には皆無であった。結果を表６に示した。
【００３７】
【表６】
0003644756.tif 000010
【００３８】
表６に用いた略号に対する完全な化学名は、ＥＤＴＡ：エチレンジアミン四酢酸、ＨＥＤＴＡ：Ｎ−（２−ヒドロキシエチル）エチレンジアミン三酢酸、ＤＴＰＡ：ジエチレントリアミン五酢酸、ＥＧＴＡ：エチレングリコールビス（２−アミノエチルエーテル）−Ｎ，Ｎ，Ｎ′，Ｎ′−四酢酸、およびＣＤＴＡ：１，２−ジアミノシクロヘキサン−Ｎ，Ｎ，Ｎ’，Ｎ’−四酢酸である。
【図面の簡単な説明】
本発明の利点は、上記の詳細な説明を読み、添付の図面を参照すれば明らかになるものと思われる。
【図１】過酸化水素の用量応答を示すグラフである。
【図１】
0003644756.tif 000013